(57)【要約】【課題】生産性が良く、操作性に優れ、嵌合すれば解除の操作をするまでは容易に離れないジョイント機構が望まれていた。【課題を解決する方法】オス・メスジョイントを採用し、改良を行った。メスはゴム、エラストマなどの伸縮可能な材料で作られた筒状部の複数個所、またはそれに代わる複数の板状体に、内側に向いた突起を持ち、オス側には嵌合した際、それぞれの突起に対応する凹部を設け、突起の基部と凹部の壁が直角に近い角度で互いに噛合うようになっており、且つ該凹部はいずれも周方向に対し、決まった側の１方は切り立ち、他側はなだらかに表面に向かう傾斜になっている。【効果】このジョイントの着脱操作は、僅かな回転を伴う押込み、引離しで完成するので非常に簡便であり、ロック機構はネジのように緩む問題が無く、射出成形などにより安定した品質の製品を経済的に有利な価格で生産する事ができる。【選択図】　　図１
2004146197.tif 000002
【特許請求の範囲】
【請求項１】
対になる一方（メス側）の筒状体に、他方の棒状部分を挿入し嵌合させてつなげる、いわゆるオス・メスジョイントに於いて、メスの筒状嵌合部をゴム、エラストマなどの伸縮可能な材料で作り、その先端付近に縁に沿って内側に向けた複数の突起を設け、オス側嵌合部表面には嵌合した際、それぞれの突起に対応すべき位置に凹部を設け、軸方向の断面に於いて、突起の内側がオス外周に設けた凹部の壁と直角に近い角度で互いに噛合うことが出来るようになっており、且つ該凹部はいずれも周方向に対し、決まった側の１方は切り立っていて、他側はなだらかに表面に向かう傾斜になっていることを特徴とする外れ防止機構を持つジョイント部品およびそれを用いた製品。
【請求項２】
請求項１に於いて、オス側は同様だが、特にメス側の筒状嵌合部の代わりに、或いは筒状嵌合部につなげて、弾力性のある板状の部材を設け、その前方に内側に向いた突起を設け、請求項１にて説明したように軸方向の断面に於いて、メス側の突起の内側がオス外周に設けた凹部の壁と直角に近い角度で互いに噛合うことを特徴とする外れ防止機構を持つジョイント部品およびそれを用いた製品。
【発明の詳細な説明】
【０００１】
【産業上の利用分野】
この発明は、オス・メス嵌合を行い、特に外れ防止機構を有するジョイントに関する。
【０００２】
【従来の技術】
図６は従来使われている固定機構の１つ、マルチコネクタに良く用いられるタイプの例で、抜け止めの付いた係合突起２２を係合片（枠）２１に嵌め込むことで固定する例を示している。実公　昭５６−３８９９、実公　昭５６−５２６２５などこの方式を使った多くの実用新案がある。（なお、多くの場合に於て、本発明の説明に関係ない部分の図或いは説明を省いていることをご承知頂きたい）。この方式は、多くの改良案が出てはいるが、問題点として嵌合の際抵抗が強く作業性が悪いことが挙げられる。図７は従来タイプの他の例であって、説明のためメス側を断面図で示した。特１０８３６５３など、このタイプの例も多い。板バネの先に付いたフック２４を相手フック或いはエッジ２３にに噛ませて固定する、解除は板バネを横に開いてフックを外すことによって行う。既に多く使われて居り、これに類する既存資料も多いが、使用個所によっては嵌合・解除の容易性などで劣っている。
【０００３】
また、図８は従来タイプの更に別のコネクタの例であって、実公昭６２−０５０１０に紹介されている。旧くは実公昭５６−２２２９８、実公昭５７−３７４３４、などがあるが、オス・メスどちらかの先端付近に突起２６があり、相手にはＬ字型の溝２５が切ってあり、図のようにＬの先端付近が広く切り込んである。嵌合は突起２６を相手のＬ型２５の溝に嵌めて押し込んでから捩じり、戻り防止の切り込みに噛ませることによって固定される。ワンタチタイプのコネクタに使われているこのタイプは脱着の操作性が良い。問題点として、このタイプのジョイントは構造上オス・メス間に隙間ができる、また形状が複雑になるので、製造上の不利がある。
【特許文献１】実公　昭５６−３８９９
【特許文献２】実公　昭５６−５２６２５
【特許文献３】特許１０８３６５３
【特許文献４】実公昭６２−０５０１０
【特許文献５】実公昭５６−２２２９８
【特許文献６】実公昭５７−３７４３４
【０００４】
【発明が解決しようとする課題】
このような状況から、製造し易く、嵌合・解除が容易で、嵌合すれば解除の操作をするまで容易には外れないジョイント機構が課題となっていた。
【０００５】
【課題解決のための手段】
以上の要求に対して、次のように対策した。即ち、請求項１の方法では、対になる一方（メス側）の外周を他方に被せる方式、いわゆるオス・メスジョイントを採用し改良を行った。メスの筒状部はゴム、エラストマなどの伸縮可能な材料で作られ、その先端付近に縁に沿って内側に向けた複数の突起を設ける、一方オス側には嵌合した際、それぞれの突起に対応する凹部を設け、軸方向の断面に於いて、突起の基部と凹部の壁が直角に近い角度で互いに噛合うようになっており、且つ該凹部はいずれも周方向に対し、決まった側の１方が切り立っていて、他側はなだらかに表面に向かう傾斜になっている。例えば、この凹部形状を、図３に断面を示すように、メスに向かって左が切り立っていて右になだらかに傾斜した構造にした場合、ジョイントは次のように行われる。嵌合操作は押し込んでから右に回すか、右に回しながら押し込むかのいずれでもよい。始め突起が外に押し広げられてオス側の外壁を摺動、凹部に至ると突起がこれに嵌まる。右に回転させると、メスの突起の側壁にオスの凹部の切り立った面が当たってそれ以上回転出来なくなり、嵌合はこれで完成される。解除は、引きながら左に回すと、突起は傾斜に案内されてオスの外周に達し（図５）、引き離す力が加わっているためオス側表面を滑って分離する。オスの凹部断面形状をこのように作った場合は、通常のネジと同じ方向回転で操作できるので違和感がない。嵌合・解除の操作はネジに似ているが回転を要する角度は遙に小さい、更に、嵌合完成時は乗り越え後の安定状態にあるため、ネジと異なり振動で緩むことがない。嵌めるに際して、開口の際の抵抗を緩和するため、通常は突起の先端またはオス側先端に傾斜を設け案内とする。押込の終点位置を規定するストッパー機構を設けると、更に使い易い。
【０００６】
請求項２の方法では、前記メス側の筒状部の代わりに、或いは筒状部につなげて弾力性のある板状の部材を設け、その前方に内側に向いた突起を設け、請求項１にて説明したようにメス側の突起の内側がオス外周に設けた凹部の壁と直角に近い角度で互いに噛合うようにする。使用方法や作用も請求項一の場合と同様である。このスペックでは軟質材以外の材料を選べるが、前者が防水、防塵構造を取り易いのに対し、やや不安が残るので、必要の場合適宜Ｏ−リングなどで対策するのが良い。
【０００７】
【実施の形態】
【実施例１】
図１に請求項１に該当する１例を示す。このジョイント機構を電線用防水コネクタに適用したときの例で、ａは嵌合した状態の、ｂはオス側の、ｃはメス側の、ｄは嵌合途中の各一部断面図をあらわしている。嵌合作業は図１ｂと図１ｃを嵌め合せ、図１ｄを経て図１ａにて終了する。図１ｅに嵌合状態の部分拡大図を示す。　尚、電線用コネクタとしてはｂがメス、ｃがオスと逆になるが、本件に於いては形状の特徴を採っているので上記のように呼ぶことにする。図に於いて、１はメス側ジョイント、２はオス側ジョイント、３はメス側の筒状部、４はその突起５は突起の基部、６はオス側の表面、７はオス側の凹部を８は凹部の壁（突起の基部５と噛み合う）を示している。図２はメス側１の正面図で、特に筒状部３に設けた突起４の形状の説明図である、図において９は突起の横壁を示す。図３はオス側２の凹部７の部分を軸に直角に切った断面からメス１側を見た図を示していて、直角に近い角度の壁１０と、なだらかに表面に向かう傾斜１１を示す説明図である。図４はメス側１の突起４がオス側２の凹部７に嵌まりジョイントが完成したときの、先の図３と略同じ位置から見た図である。突起４の横壁９が凹部７の直角に近い角度の壁１０に当たって回転が止まった状態になっている。図５は解除のためオスを左回転させ、突起４の位置が凹部７を脱しオス側表面６の外側に移動した状態の上記と同じ位置から見た断面図である。ジョイントの解除は、図４に於いて左回転させながら互いに分離方向に引くと突起４はなだらかに表面に向かう傾斜を移動して図５のようになり、引き離す力が加わっているためメス側突起がオス側表面を滑って分離が完了する。
【０００８】
【実施例２】
図６に請求項２に該当する他の実施例を示す。図に於いてａはは嵌合した状態、ｂはオス側、ｃはメス側、ｄは嵌合途中のそれぞれ軸方向の断面図をあらわしている。この例では図のようにオス・メス略同じ径のジョイント本体のメス側の両側面に２枚の弾力性のある板が設置してあり、その前方に内側に向いた突起が設けてある。操作および作用については実施例１と同様である。
【０００９】
【発明の効果】
以上説明のとおり、材料の伸縮性または弾力性を活用したこの機構のジョイントの着脱操作は、僅かな回転を伴う押し込み、引き離しで完成するので、使用が非常に簡便である。
【００１０】
また、乗り越えて安定状態に達するロック機構のため、ネジのように振動等により緩む問題が無く、安定した使用状態を保つ事ができる。
【００１１】
また、この構造は、射出成形など一般化した方法によって製造可能なので、安定した品質の製品を経済的な価格で生産することができる。
【図面の簡単な説明】
【図１】本発明によるジョイントの１例で、嵌合状態、オス・メスおよび嵌合途中の状態を示したものである。
【図２】メス側の正面図で、特に突起の形状と突起の横壁を図示している。
【図３】オス側の凹部の部分を軸に直角に切った断面図を示している。
【図４】突起４が凹部７に嵌まり、ジョイント完成の状態の嵌合部　断面を示している。
【図５】図４と同じ位置の断面図で、解除のため回転させたため、突起４が凹部７を脱し、オス表面外側に移動した状態を示す
【図６】従来方法の１例を示す
【図７】従来方法の別の１例を示す
【図８】従来方法の更に別の１例を示す
【図９】従来方法の更に別の１例を示す
【符号の説明】
１　メス側ジョイント
２　オス側ジョイント
３　メス側の筒状部
４　メス側の筒状部の突起
５　突起の基部
６　オス側の表面
７　オス側の凹部
８　凹部の壁（突起の基部と噛み合う）
９　突起の横壁
１０　直角に近い角度の壁
１１　なだらかにオス表面に向かう傾斜
２１　係合片（枠）
２２　係合突起
２３　相手フック或いはエッジ
２４　フック
２５　Ｌ字型の溝
２６　突起
【図１】
2004146197.tif 000003
【図２】
2004146197.tif 000004
【図３】
2004146197.tif 000005
【図４】
2004146197.tif 000006
【図５】
2004146197.tif 000007
【図６】
2004146197.tif 000008
【図７】
2004146197.tif 000009
【図８】
2004146197.tif 000010
【図９】
2004146197.tif 000011
【手続補正書】
【提出日】平成14年11月14日(2002.11.14)
【手続補正１】
【補正対象書類名】明細書
【補正対象項目名】発明の詳細な説明
【補正方法】変更
【補正の内容】
【発明の詳細な説明】
【０００１】
【産業上の利用分野】
この発明は、オス・メス嵌合を行い、特に外れ防止機構を有するジョイントに関する。
【０００２】
【従来の技術】
図６は従来使われている固定機構の１つ、マルチコネクタに良く用いられるタイプの例で、抜け止めの付いた係合突起２２を係合片（枠）２１に嵌め込むことで固定する例を示している。実公　昭５６−３８９９、実公　昭５６−５２６２５などこの方式を使った多くの実用新案がある。（なお、多くの場合に於て、本発明の説明に関係ない部分の図或いは説明を省いていることをご承知頂きたい）。この方式は、多くの改良案が出てはいるが、問題点として嵌合の際抵抗が強く作業性が悪いことが挙げられる。図７は従来タイプの他の例であって、説明のためメス側を断面図で示した。特１０８３６５３など、このタイプの例も多い。板バネの先に付いたフック２４を相手フック或いはエッジ２３にに噛ませて固定する、解除は板バネを横に開いてフックを外すことによって行う。既に多く使われて居り、これに類する既存資料も多いが、使用目的によっては嵌合・解除の容易性などで劣っている。
【０００３】また、図８は従来タイプの更に別のコネクタの例であって、実公昭６２−０５０１０に紹介されている。旧くは実公昭５６−２２２９８、実公昭５７−３７４３４、などがあるが、オス・メスどちらかの先端付近に突起２６があり、相手にはＬ字型の溝２５が切ってあり、図のようにＬの先端付近が広く切り込んである。嵌合は突起２６を相手のＬ型２５の溝に嵌めて押し込んでから捩じり、戻り防止の上記切り込みに突起２６を噛ませることによって固定される。ワンタチタイプのコネクタに使われているこのタイプは脱着の操作性が良い。問題点として、このタイプのジョイントは構造上オス・メス間に隙間ができる、また形状が複雑になるので、製造上の不利がある。
【特許文献１】実公　昭５６−３８９９
【特許文献２】実公　昭５６−５２６２５
【特許文献３】特許１０８３６５３
【特許文献４】実公昭６２−０５０１０
【特許文献５】実公昭５６−２２２９８
【特許文献６】実公昭５７−３７４３４
【０００４】
【発明が解決しようとする課題】
このような状況から、製造し易く、嵌合・解除が容易で、嵌合すれば解除の操作をするまで容易には外れないジョイント機構が課題となっていた。
【０００５】
【課題解決のための手段】以上の要求に対して、次のように対策した。即ち、請求項１の方法では、対になる一方（メス側）の外周を他方に被せる方式、いわゆるオス・メスジョイントを採用し改良を行った。メスの筒状部はゴム、エラストマなどの伸縮可能な材料で作られ、その先端付近に縁に沿って内側に向けた複数の突起を設ける、一方オス側には嵌合した際、それぞれの突起に対応する凹部を設け、軸方向の断面に於いて、突起の基部と凹部の壁が直角に近い角度で互いに噛合うようになっており、且つ該凹部はいずれも周方向に対し、決まった側の１方が切り立っていて、他側はなだらかに表面に向かう傾斜になっている。例えば、この凹部形状を、図３に断面を示すように、メスに向かって左が切り立っていて右になだらかに傾斜した構造にした場合、ジョイントは次のように行われる。嵌合操作は押し込んでから右に回すか、右に回しながら押し込むかのいずれでもよい。始め突起が外に押し広げられてオス側の外壁を摺動、凹部に至ると突起がこれに嵌まる。右に回転させると、メスの突起の側壁にオスの凹部の切り立った面が当たってそれ以上回転出来なくなり、嵌合はこれで完成される。解除は、引きながら左に回すと、突起は傾斜に案内されてオスの外周に達し（図５）、引き離す力が加わっているためオス側表面を滑って分離する。オスの凹部断面形状をこのように作った場合は、通常のネジと同じ方向回転で操作できるので違和感がない。嵌合・解除の操作はネジに似ているが回転を要する角度は遙に小さい、更に、嵌合完成時は乗り越え後の安定状態にあるため、ネジと異なり振動で緩むことがない。嵌めるに際して、開口の際の抵抗を緩和するため、通常は突起の先端またはオス側先端に傾斜を設け案内とする。押込の終点位置を規定するストッパー機構を設けると、更に使い易い。
【０００６】請求項２の方法では、前記メス側の筒状部の代わりに、或いは筒状部につなげて弾力性のある板状の部材を設け、その前方に内側に向いた突起を設け、請求項１にて説明したようにメス側の突起の内側がオス外周に設けた凹部の壁と直角に近い角度で互いに噛合うようにする。使用方法や作用も請求項１の場合と同様である。このスペックではゴム・エラストマなど軟質材以外の材料を選べるが、前者が防水、防塵構造を取り易いのに対し、やや不安が残るので、必要の場合適宜Ｏ−リングなどで対策するのが良い。
（旧文案）
【従来の技術】
図６は従来使われている固定機構の１つ、マルチコネクタに良く用いられるタイプの例で、抜け止めの付いた係合突起２２を係合片（枠）２１に嵌め込むことで固定する例を示している。実公　昭５６−３８９９、実公　昭５６−５２６２５などこの方式を使った多くの実用新案がある。（なお、多くの場合に於て、本発明の説明に関係ない部分の図或いは説明を省いていることをご承知頂きたい）。この方式は、多くの改良案が出てはいるが、問題点として嵌合の際抵抗が強く作業性が悪いことが挙げられる。図７は従来タイプの他の例であって、説明のためメス側を断面図で示した。特１０８３６５３など、このタイプの例も多い。板バネの先に付いたフック２４を相手フック或いはエッジ２３にに噛ませて固定する、解除は板バネを横に開いてフックを外すことによって行う。既に多く使われて居り、これに類する既存資料も多いが、使用個所によっては嵌合・解除の容易性などで劣っている。
【０００３】
また、図８は従来タイプの更に別のコネクタの例であって、実公昭６２−０５０１０に紹介されている。旧くは実公昭５６−２２２９８、実公昭５７−３７４３４、などがあるが、オス・メスどちらかの先端付近に突起２６があり、相手にはＬ字型の溝２５が切ってあり、図のようにＬの先端付近が広く切り込んである。嵌合は突起２６を相手のＬ型２５の溝に嵌めて押し込んでから捩じり、戻り防止の切り込みに噛ませることによって固定される。ワンタチタイプのコネクタに使われているこのタイプは脱着の操作性が良い。問題点として、このタイプのジョイントは構造上オス・メス間に隙間ができる、また形状が複雑になるので、製造上の不利がある。
【特許文献１】実公　昭５６−３８９９
【特許文献２】実公　昭５６−５２６２５
【特許文献３】特許１０８３６５３
【特許文献４】実公昭６２−０５０１０
【特許文献５】実公昭５６−２２２９８
【特許文献６】実公昭５７−３７４３４
【０００４】
【発明が解決しようとする課題】
このような状況から、製造し易く、嵌合・解除が容易で、嵌合すれば解除の操作をするまで容易には外れないジョイント機構が課題となっていた。
【０００５】
【課題解決のための手段】
以上の要求に対して、次のように対策した。即ち、請求項１の方法では、対になる一方（メス側）の外周を他方に被せる方式、いわゆるオス・メスジョイントを採用し改良を行った。メスの筒状部はゴム、エラストマなどの伸縮可能な材料で作られ、その先端付近に縁に沿って内側に向けた複数の突起を設ける、一方オス側には嵌合した際、それぞれの突起に対応する凹部を設け、軸方向の断面に於いて、突起の基部と凹部の壁が直角に近い角度で互いに噛合うようになっており、且つ該凹部はいずれも周方向に対し、決まった側の１方が切り立っていて、他側はなだらかに表面に向かう傾斜になっている。例えば、この凹部形状を、図３に断面を示すように、メスに向かって左が切り立っていて右になだらかに傾斜した構造にした場合、ジョイントは次のように行われる。嵌合操作は押し込んでから右に回すか、右に回しながら押し込むかのいずれでもよい。始め突起が外に押し広げられてオス側の外壁を摺動、凹部に至ると突起がこれに嵌まる。右に回転させると、メスの突起の側壁にオスの凹部の切り立った面が当たってそれ以上回転出来なくなり、嵌合はこれで完成される。解除は、引きながら左に回すと、突起は傾斜に案内されてオスの外周に達し（図５）、引き離す力が加わっているためオス側表面を滑って分離する。オスの凹部断面形状をこのように作った場合は、通常のネジと同じ方向回転で操作できるので違和感がない。嵌合・解除の操作はネジに似ているが回転を要する角度は遙に小さい、更に、嵌合完成時は乗り越え後の安定状態にあるため、ネジと異なり振動で緩むことがない。嵌めるに際して、開口の際の抵抗を緩和するため、通常は突起の先端またはオス側先端に傾斜を設け案内とする。押込の終点位置を規定するストッパー機構を設けると、更に使い易い。
【０００６】
請求項２の方法では、前記メス側の筒状部の代わりに、或いは筒状部につなげて弾力性のある板状の部材を設け、その前方に内側に向いた突起を設け、請求項１にて説明したようにメス側の突起の内側がオス外周に設けた凹部の壁と直角に近い角度で互いに噛合うようにする。使用方法や作用も請求項一の場合と同様である。このスペックでは軟質材以外の材料を選べるが、前者が防水、防塵構造を取り易いのに対し、やや不安が残るので、必要の場合適宜Ｏ−リングなどで対策するのが良い。
【０００７】
【実施の形態】
【実施例１】
図１に請求項１に該当する１例を示す。このジョイント機構を電線用防水コネクタに適用したときの例で、ａは嵌合した状態の、ｂはオス側の、ｃはメス側の、ｄは嵌合途中の各一部断面図をあらわしている。嵌合作業は図１ｂと図１ｃを嵌め合せ、図１ｄを経て図１ａにて終了する。図１ｅに嵌合状態の部分拡大図を示す。　尚、電線用コネクタとしてはｂがメス、ｃがオスと逆になるが、本件に於いては形状の特徴を採っているので上記のように呼ぶことにする。図に於いて、１はメス側ジョイント、２はオス側ジョイント、３はメス側の筒状部、４はその突起５は突起の基部、６はオス側の表面、７はオス側の凹部を８は凹部の壁（突起の基部５と噛み合う）を示している。図２はメス側１の正面図で、特に筒状部３に設けた突起４の形状の説明図である、図において９は突起の横壁を示す。図３はオス側２の凹部７の部分を軸に直角に切った断面からメス１側を見た図を示していて、直角に近い角度の壁１０と、なだらかに表面に向かう傾斜１１を示す説明図である。図４はメス側１の突起４がオス側２の凹部７に嵌まりジョイントが完成したときの、先の図３と略同じ位置から見た図である。突起４の横壁９が凹部７の直角に近い角度の壁１０に当たって回転が止まった状態になっている。図５は解除のためオスを左回転させ、突起４の位置が凹部７を脱しオス側表面６の外側に移動した状態の上記と同じ位置から見た断面図である。ジョイントの解除は、図４に於いて左回転させながら互いに分離方向に引くと突起４はなだらかに表面に向かう傾斜を移動して図５のようになり、引き離す力が加わっているためメス側突起がオス側表面を滑って分離が完了する。
【０００８】
【実施例２】
図６に請求項２に該当する他の実施例を示す。図に於いてａはは嵌合した状態、ｂはオス側、ｃはメス側、ｄは嵌合途中のそれぞれ軸方向の断面図をあらわしている。この例では図のようにオス・メス略同じ径のジョイント本体のメス側の両側面に２枚の弾力性のある板が設置してあり、その前方に内側に向いた突起が設けてある。操作および作用については実施例１と同様である。
【０００９】
【発明の効果】
以上説明のとおり、材料の伸縮性または弾力性を活用したこの機構のジョイントの着脱操作は、僅かな回転を伴う押し込み、引き離しで完成するので、使用が非常に簡便である。
【００１０】
また、乗り越えて安定状態に達するロック機構のため、ネジのように振動等により緩む問題が無く、安定した使用状態を保つ事ができる。
【００１１】
また、この構造は、射出成形など一般化した方法によって製造可能なので、安定した品質の製品を経済的な価格で生産することができる。